(57)【要約】【課題】  ２剤混合式の毛髪化粧料の第１剤と第２剤を毛髪にムラ無く塗布することを可能とする毛髪化粧料の吐出装置を提供する。【解決手段】  ２剤混合式の毛髪化粧料の吐出装置１０Ａが、毛髪化粧料の第１剤を充填した容器２ａと第２剤を充填した容器２ｂの少なくとも２つの容器に取り付けられ、各剤の流路を有する連結部１１ａと、連結部１１ａ上に設けられ、各剤を同時に吐出させる吐出ノズル１２を備える。連結部１１ａの流路が各剤を交互に層状に吐出させるように分岐し、吐出ノズル１２内に各剤の層が交互に積層された積層状態を形成する。【選択図】    図１
2005034775.tif 000002
【特許請求の範囲】
【請求項１】
毛髪化粧料の第１剤を充填した容器と第２剤を充填した容器の少なくとも２つの容器に取り付けられ、各剤の流路を有する連結部と、連結部上に設けられ、各剤を同時に吐出させる吐出ノズルを備えた吐出装置であって、連結部の流路が各剤を交互に層状に吐出させるように分岐し、吐出ノズル内に各剤の層が交互に積層された積層状態を形成する２剤混合式の毛髪化粧料の吐出装置。
【請求項２】
吐出ノズルの先端部に取り付けられるメッシュ部材を備えた請求項１記載の吐出装置。
【請求項３】
メッシュ部材の開口部がスリット状である請求項２記載の吐出装置。
【請求項４】
メッシュ部材が格子状メッシュからなる請求項２記載の吐出装置。
【請求項５】
毛髪化粧料の第１剤を充填した容器と第２剤を充填した容器の少なくとも２つの容器、及び請求項１〜４のいずれかに記載の吐出装置からなる毛髪化粧料吐出用具。
【請求項６】
各剤の容器が二重エアゾール容器である請求項５記載の毛髪化粧料吐出用具。
【発明の詳細な説明】
【技術分野】
【０００１】
本発明は、吐出ノズルを備えた２剤混合式の毛髪化粧料の吐出装置に関する。
【背景技術】
【０００２】
２剤混合式の毛髪化粧料として、例えば、酸化染料を含有する第１剤と、過酸化水素等の酸化剤を含有する第２剤とからなる染毛剤が知られている。また、ヘアブリーチとして、アルカリ剤を含有する第１剤と、過酸化水素を含有する第２剤とからなる２剤混合式のものが知られている。
【０００３】
このような２剤混合式の毛髪化粧料では、保存安定性の点から、第１剤と第２剤とがそれぞれ別個の容器に収容され、使用時に第１剤と第２剤が混合される。一方、毛髪化粧料の吐出容器としては、剤の吐出ノズルを備えたものと、櫛歯又は櫛歯間に剤の吐出口を形成したブラシ状の塗布用具を備えたものがあるが、このうち吐出ノズルを備えたものは、狭い領域あるいは少量の毛束の部分染めをする場合にも、剤を無駄なく使用できるという利点を有する。
【０００４】
従来、吐出ノズルを備えた吐出容器であって、２剤混合式の毛髪化粧料に対応させたものとしては、第１剤と第２剤の吐出と混合を同時に行えるようにするため、例えば、両剤が混合する吐出筒内に、傾斜の向きが互いに異なる半環状の螺旋状板を設けたもの（特許文献１）や、ノズル内に、螺旋状の突条を突設した混合液撹拌棒を設けたもの（特許文献２）が提案されている。
【０００５】
また、１つのノズルから第１剤と第２剤を同時に吐出させるにあたり、ノズル内で両剤の吐出圧が異なることにより同量吐出が妨げられることを防止するため、ノズル内の両剤の流路を仕切板で完全に仕切ること（特許文献３）や、流路を仕切板で仕切ったノズルから第１剤と第２剤を吐出させた後、それらが互いに接触し、混合し易い状態となるように、ノズルの先端部分には仕切板を設けないようにすること（特許文献４）が提案されている（特許文献４）。
【特許文献１】実用新案登録第２５３３９２０号公報
【特許文献２】実用新案登録第２５１７０８８号公報
【特許文献３】特開２０００−１０９１５０号公報
【特許文献４】特開平１１−５９７４６号公報
【発明の開示】
【発明が解決しようとする課題】
【０００６】
しかしながら、ノズル内で第１剤と第２剤の混合を行う従来の吐出容器は、混合する剤が液剤に比して粘度の高いクリーム状、ジェル状等であると、両剤を均一にムラ無く混合することが難しい。混合度を上げるためには、ノズル内における流路径を細くするなどして剤の流速を高めることが必要となるが、そのようにして流路径を細くすると流路内での剤の詰まりが問題となる。
【０００７】
また、ノズル内部で第１剤と第２剤の流路を仕切ったものは、第１剤と第２剤を吐出させた後の両剤の混合性をさらに高めることが必要となる。
【０００８】
そこで、本発明は、毛髪化粧料の第１剤と第２剤を毛髪にムラ無く塗布することを可能とする新たな毛髪化粧料の吐出装置を提供することを目的とする。
【課題を解決するための手段】
【０００９】
本発明者は、クリーム状、ジェル状等の比較的高粘度の毛髪化粧料の第１剤と第２剤をノズルから同時に吐出させる場合に、ノズル内で第１剤と第２剤をあえて混合することなく、ノズル内に両剤が交互に重なった積層状態を形成すると、両剤はノズルから積層状態で吐出した後に容易に混合すること、したがって、第１剤と第２剤を積層状態でブラシあるいは直接毛髪上に吐出し、毛髪を梳くと、素早く均一に両剤が混合し、この混合剤を毛髪にムラ無く塗布できることを見出した。
【００１０】
即ち、本発明は、毛髪化粧料の第１剤を充填した容器と第２剤を充填した容器の少なくとも２つの容器に取り付けられ、各剤の流路を有する連結部と、連結部上に設けられ、各剤を同時に吐出させる吐出ノズルを備えた吐出装置であって、
連結部の流路が各剤を交互に層状に吐出させるように分岐し、吐出ノズル内に各剤の層が交互に積層された積層状態を形成する２剤混合式の毛髪化粧料の吐出装置を提供する。
【００１１】
また、本発明は、毛髪化粧料の第１剤を充填した容器と第２剤を充填した容器の少なくとも２つの容器、及び上述の吐出装置からなる毛髪化粧料吐出用具を提供する。
【発明の効果】
【００１２】
本発明の吐出装置を備えた毛髪化粧料吐出用具によれば、２剤混合式の毛髪化粧料の第１剤と第２剤を、それらの層が交互に積層した状態で吐出させるので、吐出後に容易に素早く均一に混合することができる。したがって、２剤混合式の毛髪化粧料を毛髪にムラ無く塗布することが可能となり、特に、第１剤と第２剤がクリーム状、ジェル状等の比較的高粘度の毛髪化粧料であっても、塗布ムラをなくすことができる。
【発明を実施するための最良の形態】
【００１３】
以下、図面を参照しつつ、本発明を詳細に説明する。なお、各図中、同一符号は同一又は同等の構成要素を表している。
【００１４】
図１は、本発明の一実施例の毛髪化粧料吐出用具１の斜視図である。この毛髪化粧料吐出用具１は、毛髪化粧料の第１剤を充填したエアゾール容器２ａと第２剤を充填したエアゾール容器２ｂと、これらに装着した吐出装置１０Ａからなっている。
【００１５】
エアゾール容器２ａ、２ｂは、クリーム状、ジェル状等の比較的高粘度の毛髪化粧料の吐出に好適な、外側耐圧容器とその内部の内袋からなる二重エアゾール容器である。この内袋には第１剤あるいは第２剤が充填され、内袋と外側耐圧容器との間には、噴射剤が充填されている。ここで、第１剤及び第２剤は、公知の２剤混合式の毛髪化粧料と同様に、毛髪化粧料が染毛剤である場合、第１剤が酸化染料を含有し、第２剤が過酸化水素等の酸化剤を含有する。また、毛髪化粧料が毛髪脱色剤である場合、第１剤がアルカリ剤を含有し、第２剤が過酸化水素を含有する。
【００１６】
エアゾール容器２ａ、２ｂは、熱収縮フィルム、シュリンクフィルム、ストレッチフィルム等のフィルム３で束ねられている。
【００１７】
図２は、この毛髪化粧料吐出用具１の吐出装置１０Ａの断面図である。この吐出装置１０は、着脱自在に組み立てられる連結部１１ａと吐出ノズル１２からなる。
【００１８】
連結部１１ａは、図３（上面図（ａ）、底面図（ｂ））に示すように、底面に、エアゾール容器２ａ、２ｂのステム４を嵌入させるステム嵌入部１３ａ、１３ｂを有し、上面側には、第１剤の流路と第２剤の流路をそれぞれ形成する溝１４ａ、１４ｂが、互いに交わることなく形成されている。ここで、各溝１４ａ、１４ｂは、ステム嵌入部１３ａ、１３ｂと反対側が３つの流路に分岐し、これら各剤の３つの分岐路１５ａ、１５ｂが、連結部１１の中央部で交互に配設されている。
【００１９】
なお、第１剤と第２剤の分岐路の数は３つに限らず、交互に配設する限り、合計で３つ以上とする。したがって、分岐路の数は各剤につき２つとしてよく、４つ以上としてもよい。また、第１剤と第２剤の分岐路の数を異ならせ、例えば、図５に示す連結部１１ｂのように、第１剤の分岐路１５ａを２つ、第２剤の分岐路１５ｂを１つ、としてもよく、図６に示す連結部１１ｃのように、第１剤の分岐路１５ａを２つ、第２剤の分岐路１５ｂを３つとしてもよい。また、第１剤と第２剤を吐出させた後、両剤を素早く均一に混合できるようにするには、各剤の分岐路の数は２つ以上とすることが好ましい。
【００２０】
吐出ノズル１２は、図４（上面図（ａ）、底面図（ｂ））に示すように、先端径が細くなった筒状形状をしている。また、吐出ノズル１２には、底部開口部１６以外の部分では、連結部１１の溝１４ａ、１４ｂに蓋をするように、底部に鍔状の張り出しが形成されている。したがって、吐出ノズル１２を連結部１１に取り付けることにより、吐出装置１０Ａの内部に第１剤の流路と第２剤の筒状の流路が形成されることとなる。
【００２１】
この毛髪化粧料吐出用具１の使用に際しては、まず、吐出ノズル１２を押し込む。これにより各容器２ａ、２ｂのステム４が押し下げられ、各容器２ａ、２ｂから第１剤と第２剤がそれぞれ吐出装置１０Ａ内の流路（溝１４ａ、１４ｂ）に吐出され、交互に配設された第１剤と第２剤の分岐路１５ａ、１５ｂ、吐出ノズル１２の底部開口部１６を経て吐出ノズル１２の開口端である吐出口１７から吐出される。このとき、第１剤と第２剤は、交互に配設された第１剤と第２剤の分岐路１５ａ、１５ｂ以降は吐出ノズル１２内で交互に積層された状態となる。したがって、第１剤と第２剤はこの積層状態（当初の積層状態から両剤の層が入り交じった状態も含む）で吐出口１７から吐出されることとなる。こうして積層状態で吐出された第１剤と第２剤をブラシあるいは直接毛髪上にとり、毛髪を梳くと、両剤は素早く均一に混合する。よって、この混合剤を毛髪にムラ無く塗布することができる。
【００２２】
また、吐出装置１０Ａは、着脱自在に組み立てられる連結部１１ａと吐出ノズル１２からなるため、必要に応じて、これらを分解し、洗浄することができる。
【００２３】
本発明の毛髪化粧料吐出用具及び吐出装置は、吐出ノズル内に第１剤と第２剤が交互に積層された積層状態を形成するものである限り、種々の態様をとることができる。
【００２４】
例えば、図７の吐出装置１０Ｂは、上述の毛髪化粧料吐出用具１の吐出装置１０Ａの吐出ノズル１２の先端部分に、短尺、好ましくは３ｍｍ〜５ｍｍの櫛歯１８を設けたものである。これにより、吐出ノズル１２で毛髪を梳くことが可能となる。
【００２５】
本発明において、吐出装置の吐出ノズルの先端部には、図８に示すように、メッシュ部材１９を取り付けてもよい。これにより、吐出ノズル１２から直接毛髪に毛髪化粧料を塗布する際に、頭皮に対する吐出ノズルの当たり面積が広くなり、頭皮への刺激を和らげることができる。また、メッシュ部材を通すことにより、吐出ノズル内の第１剤と第２剤の積層状態の流れに乱れを生じさせ、吐出ノズルから吐出させた後の両剤の混合をより一層容易に行うことができる。
【００２６】
好ましいメッシュ部材としては、例えば、図９に示すメッシュ部材１９ａのように、その開口部がスリット状のものをあげることができる。また、両剤の均一な混合を促進する点から、図１０に示すように、格子状メッシュ部材１９ｂも好ましい。
【産業上の利用可能性】
【００２７】
本発明の吐出装置を取り付けるエアゾール容器としては、ステムの傾倒によりバルブが開口するチルトバルブを備えたものとしてもよい。また、本発明の吐出装置を取り付ける容器は、エアゾール容器の他、シリンダーとピストンからなるポンプ装置を備え、ピストンを上下させることにより剤を吐出させるポンプ容器を用いてもよい。
【００２８】
さらに、本発明の毛髪化粧料吐出用具及び吐出装置は、２剤混合式の毛髪化粧料の吐出に限らず、染毛剤、ブリーチ剤等の２種類の塗布剤と希釈剤を混合して使用する３剤混合式の毛髪化粧料に適合させることもできる。この場合、吐出ノズル内に、３つの剤の層の積層状態、好ましくは、各剤につき２層以上の積層状態が形成されるようにする。
【図面の簡単な説明】
【００２９】
【図１】実施例の毛髪化粧料吐出用具の斜視図である。
【図２】吐出装置の断面図である。
【図３】連結部の上面図（ａ）と底面図（ｂ）である。
【図４】吐出ノズルの上面図（ａ）と底面図（ｂ）である。
【図５】連結部の上面図である。
【図６】連結部の上面図である。
【図７】変形態様の毛髪化粧料吐出用具の吐出装置部分の斜視図である。
【図８】メッシュ部材を吐出ノズルに取り付けた吐出装置の斜視図である。
【図９】スリット状開口部を有するメッシュ部材の斜視図である。
【図１０】格子状メッシュの斜視図である。
【符号の説明】
【００３０】
１    毛髪化粧料吐出用具
２ａ、２ｂ  エアゾール容器
３    フィルム
４    ステム
１０Ａ、１０Ｂ    吐出装置
１１、１１ａ、１１ｂ、１１ｃ    連結部
１２    吐出ノズル
１３ａ、１３ｂ    ステム嵌入部
１４ａ、１４ｂ    溝
１５ａ、１５ｂ    分岐路
１６    底部開口部
１７    吐出口
１８    櫛歯
１９、１９ａ、１９ｂ    メッシュ部材
【図１】
2005034775.tif 000003
【図２】
2005034775.tif 000004
【図３】
2005034775.tif 000005
【図４】
2005034775.tif 000006
【図５】
2005034775.tif 000007
【図６】
2005034775.tif 000008
【図７】
2005034775.tif 000009
【図８】
2005034775.tif 000010
【図９】
2005034775.tif 000011
【図１０】
2005034775.tif 000012